(57)【要約】【課題】バルコニを形成するための床パネルの躯体への固定を容易かつ安価に、しかも施工性良く行うこと。【解決手段】框枠１ａと、この框枠１ａ内に組み込まれる補強桟材１ｃとを有するバルコニ床パネル１によってバルコニを形成する際、バルコニ床パネル１の固定を以下のようにして行う。すなわち、マグサ２に框枠１ａを構成する框材１ｂ（１ｂ１）を、バルコニ床パネル１の上方から構造用ロングビス１０によって固定し、かつ、バルコニ床パネルの下方からスクリュー釘１１によって固定する。また、外壁パネル３に補強桟材１ｃを、バルコニ床パネル１の下方からスクリュー釘１３によって固定する。【選択図】　　　図１
2004044302.tif 000002
【特許請求の範囲】
【請求項１】
床パネルの框枠を構成する框材が床パネル下方の梁材に固定され、前記框枠内に組み込まれる補強桟材が床パネル下方の外壁材に固定される床パネルの固定構造であって、
前記梁材に対し前記框材が、前記床パネルの上方から第１止着材によって固定され、
前記外壁材に対し前記補強桟材が、前記床パネルの下方から第２止着材によって固定されていることを特徴とする床パネルの固定構造。
【請求項２】
前記框材には、前記第１止着材の下穴が予め形成されていることを特徴とする請求項１に記載の床パネルの固定構造。
【請求項３】
前記梁材に対し前記框材が、前記床パネルの下方から第３止着材によって固定されていることを特徴とする請求項１または請求項２に記載の床パネルの固定構造。
【請求項４】
床パネルの框枠を構成する框材が床パネル下方の梁材に固定され、前記框枠内に組み込まれる補強桟材が床パネル下方の外壁材に固定される床パネルの固定構造であって、
前記梁材に対し根太材が固定され、
前記根太材に対し前記框材が、前記床パネルの下方から第１止着材によって固定され、
前記外壁材に対し前記補強桟材が、前記床パネルの下方から第２止着材によって固定されていることを特徴とする床パネルの固定構造。
【請求項５】
前記外壁材に対し前記框材が、前記床パネル下方から第３止着材によって固定されていることを特徴とする請求項４に記載の床パネルの固定構造。
【発明の詳細な説明】
【０００１】
【発明の属する技術分野】
本発明は、バルコニを形成するための床パネルの躯体への固定構造である床パネルの固定構造に関する。
【０００２】
【背景の技術】
近年、住宅の構築については、部材の工場生産化が進み、例えば、壁、床、屋根等のような構成部材を予め工場においてパネルとして製造し、これらのパネルを現場で組み立てることによって住宅を構築する、いわゆるパネル工法が採用されている。ところで、前記のような工法を用いてバルコニを形成する場合には、例えば、特開平１１−０３６７２３号公報に、床パネル１０１を片持ちとなるように跳ね出して躯体に固定する方法が一般に採用されている。前記公報に記載の技術は、バルコニを構成する床パネル１０１を、その下部に形成される出窓を吊持する構造体としても利用するものである。ところで、前記公報に記載の技術においては、例えば、図３に示すように、床パネル１０１の框枠１０１ａを構成する框材１０１ｂのうち、躯体の内部側の框材１０１ｂ１と、框枠１ａ内に組み込まれる補強桟材１０１ｃとを、ガセット合板１２１やパッキン合板１２２を用いてそれぞれマグサ１０２と外壁パネル１０３とに固定する方法が採用される。すなわち、躯体の内部側の框材１０１ｂ１はマグサ１０２に、パッキン合板１２２を介し、ガセット合板１２１から図示しない丸釘を打ち込むことによって固定される。また、補強桟材１０１ｃは外壁パネル１０３に、ガセット合板１２１から図示しない丸釘を打ち込むことによって固定される。
【０００３】
【発明が解決しようとする課題】
しかしながら、前記した方法においては、ガセット合板１２１やパッキン合板１２２を生産するとともに、これらガセット合板１２１に数多くのスクリュー釘を床パネル下方から打ち込む必要があり、施工コスト、施工手間がかかる。また、ガセット合板１２１やパッキン合板１２２を介した固定方法であるため、框枠１０１ａを構成する框材１０１ｂとマグサ１０２との密着性、補強桟材１０１ｃと外壁パネル１０３との密着性が良好に得られない場合もある。
【０００４】
本発明の課題は、バルコニを形成するための床パネルの躯体への固定を容易かつ安価に、しかも施工性良く行うことを可能とする床パネルの固定構造を提供することである。
【０００５】
【課題を解決するための手段】
上記課題を解決すために、請求項１に記載の発明は、例えば図１に示すように、
床パネル（バルコニ床パネル１）の框枠１ａを構成する框材１ｂ（１ｂ１）が床パネル（バルコニ床パネル１）下方の梁材（マグサ２）に固定され、前記框枠１ａ内に組み込まれる補強桟材１ｃが床パネル（バルコニ床パネル１）下方の外壁材（外壁パネル３）に固定される床パネルの固定構造であって、
前記梁材（マグサ２）に対し前記框材１ｂ（１ｂ１）が、前記床パネル（バルコニ床パネル１）の上方から第１止着材（構造用ロングビス１０）によって固定され、
前記外壁材（外壁パネル３）に対し前記補強桟材１ｃが、前記床パネル（バルコニ床パネル１）の下方から第２止着材（スクリュー釘１３）によって固定されていることを特徴としている。
【０００６】
請求項１に記載の発明によれば、前記梁材（マグサ２）に対し前記框材１ｂが、前記床パネル（バルコニ床パネル１）の上方から第１止着材（構造用ロングビス１０）によって固定され、前記外壁材（外壁パネル３）に対し前記補強桟材１ｃが、前記床パネル（バルコニ床パネル１）の下方から第２止着材（スクリュー釘１３）によって固定されている。すなわち、床パネル（バルコニ床パネル１）によってバルコニを形成するために前記框材１ｂ（１ｂ１）と前記補強桟材１ｃとを、それぞれ前記梁材（マグサ２）と前記外壁材（外壁パネル３）とに固定する際、従来のような、ガセット合板やパッキン合板等を用いた手間のかかる固定方法による必要がない。そして、前記框材１ｂ（１ｂ１）と前記梁材（マグサ２）との密着性、前記補強桟材１ｃと前記外壁材（外壁パネル３）との密着性が、前記第１止着材（構造用ロングビス１０）や前記第２止着材（スクリュー釘１３）によって直接固定されることにより良好に得られる。しかも、前記框材１ｂ（１ｂ１）と前記梁材（マグサ２）との前記第１止着材（構造用ロングビス１０）による固定は、前記床パネル（バルコニ床パネル１）の上方から行うことができる。以上により、バルコニを形成するための床パネル（バルコニ床パネル１）の固定を容易かつ安価に、しかも施工性良く行うことができる。
【０００７】
請求項２に記載の発明は、例えば図１に支援すように、請求項１に記載の床パネルの固定構造において、
前記框材１ｂ（１ｂ１）には、前記第１止着材（構造用ロングビス１０）の下穴１ｅが予め形成されていることを特徴としている。
【０００８】
請求項２に記載の発明によれば、前記框材１ｂ（１ｂ１）には、前記第１止着材（構造用ロングビス１０）の下穴１ｅが予め形成されているので、前記第１止着材（構造用ロングビス１０）の位置決め作業を省略できるとともに、前記第１止着材（構造用ロングビス１０）を前記框材１ｂ（１ｂ１）へ貫通させる作業を低減、あるいは省略できる。
【０００９】
請求項３に記載の発明は、請求項１または請求項２に記載の床パネルの固定構造において、
前記梁材（マグサ２）に対し前記框材１ｂ（１ｂ１）が、床パネル（バルコニ床パネル１）の下方から第３止着材（スクリュー釘１１）によって固定されていることを特徴としている。
【００１０】
請求項３に記載の発明によれば、前記梁材（マグサ２）に対し前記框材１ｂが、床パネル（バルコニ床パネル１）の下方から第３止着材（スクリュー釘１１）によって固定されている。すなわち、前記框材１ｂ（１ｂ１）と前記梁材（マグサ２）とが、前記第１止着材（構造用ロングビス１０）に加えて前記第３止着材（スクリュー釘１１）によって固定されることで、前記框材１ｂ（１ｂ１）と前記梁材（マグサ２）との固定がより強固となる。
【００１１】
請求項４に記載の発明は、例えば図２に示すように、
床パネル（バルコニ床パネル１）の框枠１ａを構成する框材１ｂ（１ｂ１）が床パネル（バルコニ床パネル１）下方の梁材（マグサ２）に固定され、前記框枠１ａ内に組み込まれる補強桟材１ｃが床パネル（バルコニ床パネル１）下方の外壁材（外壁パネル３）に固定される床パネルの固定構造であって、
前記梁材（マグサ２）に対し根太材１６が固定され、
前記根太材１６に対し前記框材１ｂ（１ｂ１）が、床パネル（バルコニ床パネル１）の下方から第１止着材（構造用ビス２０）によって固定され、
前記外壁材（外壁パネル３）に対し前記補強桟材１ｃが、床パネル（バルコニ床パネル１）の下方から第２止着材（スクリュー釘１３）によって固定されていることを特徴としている。
【００１２】
請求項４に記載の発明によれば、前記梁材（マグサ２）に固定された根太材１６に対し前記框材１ｂ（１ｂ１）が、床パネル（バルコニ床パネル１）の下方から第１止着材（構造用ビス２０）によって固定され、前記外壁材（外壁パネル３）に対し前記補強桟材１ｃが、床パネル（バルコニ床パネル１）の下方から第２止着材（スクリュー釘１３）によって固定されている。すなわち、床パネル（バルコニ床パネル１）によってバルコニを形成するために前記框材１ｂ（１ｂ１）と前記補強桟材１ｃとを前記梁材（マグサ２）と前記外壁材（外壁パネル３）とに固定する際、従来のような、ガセット合板やパッキン合板等を用いた手間のかかる固定方法による必要がない。そして、前記框材１ｂ（１ｂ１）と前記梁材（マグサ２）との密着性、前記補強桟材１ｃと前記外壁材（外壁パネル３）との密着性が、前記第１止着材（構造用ビス２０）や前記第２止着材（スクリュー釘１３）によって直接固定されることにより良好に得られる。以上により、バルコニを形成するための床パネル（バルコニ床パネル１）の固定を容易かつ安価に、しかも施工性良く行うことができる。
【００１３】
請求項５に記載の発明は、例えば図２に示すように、請求項４に記載の床パネルの固定構造において、
前記梁材（マグサ２）に対し前記框材１ｂ（１ｂ１）が、前記床パネル（バルコニ床パネル１）の下方から第３止着材（スクリュー釘１１）によって固定されていることを特徴としている。
【００１４】
請求項５に記載の発明によれば、前記梁材（マグサ２）に対し前記框材１ｂが、前記床パネル（バルコニ床パネル１）の下方から第３止着材（スクリュー釘１１）によって固定されている。すなわち、前記框材１ｂ（１ｂ１）と前記梁材（マグサ２）とが、前記第１止着材（構造用ビス２０）に加えて前記第３止着材（スクリュー釘１１）によって固定されることで、前記框材１ｂ（１ｂ１）と前記梁材（マグサ２）との固定がより強固となる。
【００１５】
【発明の実施の形態】
以下、本発明である床パネルの固定構造の実施の形態を詳細に説明する。
【００１６】
［第１の実施の形態］
本実施の形態は、床パネルの固定構造の一例であり、図１において、符号１はバルコニを形成するための床パネルであるバルコニ床パネルを示す。バルコニ床パネル１は、図１に示すように、框材１ｂによって構成される框枠１ａ内に補強桟材１ｃが組み込まれてなる枠体の上面に面材１ｄを有している。框枠１ａは、框材１ｂによって矩形状に形成されており、この矩形状の框材１ｂのうち、１組の対向する框材１ｂの略中心に位置するように、補強桟材１ｃが設けられている。なお、框材１ｂどうしの固定、框材１ｂと補強桟材１ｃとの固定、框材１ｂや補強桟材１ｃへの面材１ｄへの固定は、図示しない釘やボルト等によって行われている。
【００１７】
バルコニ床パネル１は以下のようにして設置されている。すなわち、バルコニ床パネル１下方には、外壁パネル３（外壁材）が建て込まれているとともに、この外壁パネル３と略平行となるようにマグサ２（梁材）が設けられている。そして、框枠１ａを構成する框材１ｂのうち、躯体の内部側に位置する框材１ｂ１がマグサ２の上面に載置され、補強桟材１ｃが外壁パネル３の上面に載置されている。この際、前記框材１ｂ１はマグサ２の上面半分に載置されており、このマグサ２の残り上面半分には、バルコニ床パネル１に隣接するようにして設置される別の床パネル４の框材４ａが載置されている。さらに、バルコニ床パネル１の框材１ｂ１と、前記床パネル４の框材４ａとは、スクリュー釘５によって固定されている。なお、図１（ｂ）において、符号６はバルコニ壁パネル、符号７は飾り壁パネルを示す。バルコニ壁パネル６と飾り壁パネル７とは、半土台８、胴差しボルト９とを用いて、バルコニ床パネル１に固定されている。
【００１８】
マグサ２に対しては前記框材１ｂ１が、バルコニ床パネル１の上方から前記框材１ｂ１を貫通してマグサ２に貫入する、長さ２２５ｍｍの構造用ロングビス１０（第１止着材）によって固定されている。ここで、前記框材１ｂ１には、その上面から所定長さ、構造用ロングビス１０と略同径の下穴１ｅが形成されており、構造用ロングビス１０を前記框材１ｂ１に貫通させる作業が低減されるようになっている。
【００１９】
また、マグサ２の一方の側面２ａからは、このマグサ２の上端部を斜めに貫通して前記框材１ｂ１に貫入する長さ８５ｍｍのスクリュー釘１１（第３止着材）が、横方向に２２７．５ｍｍピッチで打ち込まれている。このスクリュー釘１１によって、前記框材１ｂ１とマグサ２との固定がより強度となっている。
なお、マグサ２の他方の側面２ｂからは、このマグサ２の上端部を斜めに貫通して、バルコニ床パネル１に隣接するようにして設置される別の床パネル４の框材４ａに貫入する長さ８５ｍｍびスクリュー釘１２が、横方向に２２７．５ｍｍピッチで打ち込まれている。
【００２０】
さらに、マグサ２の上面には予め図示しない接着剤が塗布されており、この接着剤によって、前記框材１ｂ１とマグサ２との固定がさらに強固となっている。
【００２１】
外壁パネル３に対しては補強桟材１ｃが、外壁パネル３の上端部を斜めに貫通して補強桟材１ｃに貫入する長さ８５ｍｍのスクリュー釘１３（第２止着材）によって固定されている。なお、スクリュー釘１３は、横方向に２２７．５ｍｍピッチで打ち込まれている。
【００２２】
さらに、外壁パネル３の上面には予め図示しない接着剤が塗布されており、この接着剤によって、補強桟材１ｃと外壁パネル３との固定がより強固となっている。
【００２３】
なお、図１（ｂ）において、符号１４は、サッシ下地材であり、このサッシ下地材１４は、外壁パネル３の上部に位置するようにバルコニ床パネル１の上面にスクリュー釘１５によって固定されている。
【００２４】
以下に、本実施の形態における床パネルの固定構造による施工方法を説明する。
【００２５】
先ず、バルコニ床パネル１下方に、外壁パネル３（外壁材）を建て込むとともに、この外壁パネル３と略平行となるようにマグサ２（梁材）を設ける。そして、外壁パネル３の上面とマグサ２の上面とには、予め図示しない接着剤を塗布しておく。
【００２６】
次に、バルコニ床パネル１を、その框枠１ａを構成する框材１ｂのうち、躯体の内部側に位置する框材１ｂ１をマグサ２の上面に載置し、補強桟材１ｃを外壁パネル３の上面に載置する。この際、前記框材１ｂ１はマグサ２の上面半分に載置されるようにし、このマグサ２の残り上面半分には、バルコニ床パネル１に隣接して設置される別の床パネル４の框材４ａが載置されるようにする。そして、バルコニ床パネル１の框材１ｂ１と、前記床パネル４の框材４ａとは、スクリュー釘５によって固定する。
【００２７】
また、バルコニ床パネル１の先端部に、バルコニ壁パネル６と飾り壁パネル７とを、半土台８、胴差しボルト９とを用いて固定する。
【００２８】
次に、マグサ２に対して前記框材１ｂ１を、バルコニ床パネル１の上方から前記框材１ｂ１を貫通してマグサ２に貫入する、長さ２２５ｍｍの構造用ロングビス１０（第１止着材）によって固定する。ここで、前記框材１ｂ１には、その上面から所定長さ、構造用ロングビス１０と略同径の下穴１ｅを予め形成しておき、構造用ロングビス１０を前記框材１ｂ１に貫通させる作業が低減されるようにする。
【００２９】
また、マグサ２の一方の側面２ａからは、このマグサ２の上端部を斜めに貫通して前記框材１ｂ１に貫入する長さ８５ｍｍのスクリュー釘１１（第３止着材）を、横方向に２２７．５ｍｍピッチで打ち込む。
なお、マグサ２の他方の側面２ｂからは、このマグサ２の上端部を斜めに貫通して、バルコニ床パネル１に隣接して設置される別の床パネル４の框材４ａに貫入する長さ８５ｍｍびスクリュー釘１２を、横方向に２２７．５ｍｍピッチで打ち込む。
【００３０】
さらに、補強桟材１ｃを外壁パネル３に、外壁パネル３の上端部を斜めに貫通して補強桟材１ｃに貫入する長さ８５ｍｍのスクリュー釘１３（第２止着材）によって固定する。なお、スクリュー釘１３は、横方向に２２７．５ｍｍピッチで打ち込む。
【００３１】
最後に、サッシ下地材１４を、外壁パネル３の上部に位置するようにバルコニ床パネル１の上面に載置し、スクリュー釘１５によって固定する。
【００３２】
本実施の形態によれば、以下のような効果を得ることができる。
【００３３】
▲１▼マグサ２に対して框材１ｂ１が、バルコニ床パネル１の上方から構造用ロングビス１０によって固定され、外壁パネル３に対して補強桟材１ｃが、バルコニ床パネル１の下方からスクリュー釘１３によって固定されている。すなわち、バルコニ床パネル１によってバルコニを形成するために框材１ｂ１と補強桟材１ｃとを、それぞれマグサ２と外壁パネル３とに固定する際、従来のような、ガセット合板やパッキン合板等を用いた手間のかかる固定方法による必要がない。そして、框材１ｂ１とマグサ２との密着性、補強桟材１ｃと外壁パネル３との密着性が、構造用ロングビス１０やスクリュー釘１３によって直接固定されることにより良好に得られる。しかも、框材１ｂ１とマグサ２との構造用ロングビス１０による固定は、バルコニ床パネル１の上方から行うことができる。以上により、バルコニを形成するためのバルコニ床パネル１の固定を容易かつ安価に、しかも施工性良く行うことができる。
【００３４】
▲２▼框材１ｂ１には、構造用ロングビス１０の下穴１ｅが予め形成されているので、構造用ロングビス１０の位置決め作業を省略できるとともに、構造用ロングビス１０を前記框材１ｂへ貫通させる作業を低減できる。
【００３５】
▲３▼マグサ２に対して框材１ｂ１が、バルコニ床パネル１の下方からスクリュー釘１１によって固定されている。すなわち、框材１ｂ１とマグサ２とが、構造用ロングビス１０に加えてスクリュー釘１１によって固定されることで、框材１ｂ１とマグサ２との固定がより強固となる。
【００３６】
［第２の実施の形態］
本実施の形態は、床パネルの固定構造の一例であるが、［第１の実施の形態］と類似するため、［第１の実施の形態］と同じ構成は、同符合を付して説明を省略する。
すなわち、本実施の形態においては、躯体の内部側に位置する框材１ｂ１とマグサ２との固定方法が［第１の実施の形態］と異なるため、この点のみを説明する。
【００３７】
すなわち、バルコニ床パネル１の下方に設けられているマグサ２（梁材）の両側面の上端部には、横方向に根太材１６が固定されている。これら根太材１６はマグサ２に、石膏ボード１７を介した状態で、それぞれの根太材１６を貫通してマグサ２に貫通するスクリュー釘１８によって固定されている。そして、根太材１６が框枠１ａを構成する框材１ｂに、石膏ボード１９を介した状態で、長さ８５ｍｍの構造用ビス２０（第１止着材）によって固定されている。
【００３８】
本実施の形態によれば、［第１の実施の形態］に記載の▲２▼、▲３▼と同様の効果を得ることができる他、以下のような効果を得ることができる。
【００３９】
▲４▼マグサ２に固定された根太材１６に対して框材１ｂ１が、バルコニ床パネル１の下方から構造用ビス２０によって固定され、外壁パネル３に対して補強桟材１ｃが、バルコニ床パネル１の下方からスクリュー釘１３によって固定されている。すなわち、バルコニ床パネル１によってバルコニを形成するために框材１ｂ１と補強桟材１ｃとをマグサ２と外壁パネル３とに固定する際、従来のような、ガセット合板やパッキン合板等を用いた手間のかかる固定方法による必要がない。そして、框材１ｂ１とマグサ２との密着性、補強桟材１ｃと外壁パネル３との密着性が、構造用ビス２０やスクリュー釘１３によって直接固定されることにより良好に得られる。以上により、バルコニを形成するためのバルコニ床パネル１の固定を容易かつ安価に、しかも施工性良く行うことができる。
【００４０】
【発明の効果】
請求項１に記載の発明によれば、床パネルによってバルコニを形成するために前記框材と前記補強桟材とを、それぞれ前記梁材と前記外壁材とに固定する際、従来のような、ガセット合板やパッキン合板等を用いた手間のかかる固定方法による必要がない。そして、前記框材と前記梁材との密着性、前記補強桟材と前記外壁材との密着性が、前記第１止着材や前記第２止着材によって直接固定されることにより良好に得られる。しかも、前記框材と前記梁材との前記第１止着材による固定は、前記床パネル上方から行うことができる。以上により、バルコニを形成するための床パネルの固定を容易かつ安価に、しかも施工性良く行うことができる。
【００４１】
請求項２に記載の発明によれば、請求項１に記載の発明と同様の効果が得られることは勿論のこと、前記第１止着材の位置決め作業を省略できるとともに、前記第１止着材を前記框材へ貫通させる作業を低減、あるいは省略できる。
【００４２】
請求項３に記載の発明によれば、請求項１または請求項２に記載の発明と同様の効果が得られることは勿論のこと、前記框材と前記梁材とが、前記第１止着材に加えて前記第３止着材によって固定されることで、前記框材と前記梁材との固定がより強固となる。
【００４３】
請求項４に記載の発明によれば、床パネルによってバルコニを形成するために前記框材と前記補強桟材とを、それぞれ前記梁材と前記外壁材とに固定する際、従来のような、ガセット合板やパッキン合板等を用いた手間のかかる固定方法による必要がない。そして、前記框材と前記梁材との密着性、前記補強桟材と前記外壁材との密着性が、前記第１止着材や前記第２止着材によって直接固定されることにより良好に得られる。以上により、バルコニを形成するための床パネルの固定を容易かつ安価に、しかも施工性良く行うことができる。
【００４４】
請求項５に記載の発明によれば、請求項４に記載の発明と同様の効果が得られることは勿論のこと、前記框材と前記梁材とが、前記第１止着材に加えて前記第３止着材によって固定されることで、前記框材と前記梁材との固定がより強固となる。
【図面の簡単な説明】
【図１】本発明である床パネルの固定構造の一実施の形態例を示す図であり、（ａ）は平面図、（ｂ）は断面図である。
【図２】本発明である床パネルの固定構造の一実施の形態例を示す図であり、（ａ）は平面図、（ｂ）は断面図である。
【図３】従来の床パネルの固定構造の一例を示す図であり、（ａ）は平面図、（ｂ）は断面図である。
【符号の説明】
１　　　　　バルコニ床パネル
１ａ　　　框枠
１ｂ　　　框材
１ｂ１　躯体の内部側に位置する框材
１ｃ　　　補強桟材
１ｄ　　　面材
１ｅ　　　下穴
２　　　　　マグサ（梁材）
３　　　　　外壁パネル（外壁材）
１０　　　　構造用ロングビス（第１止着材）
１１　　　　スクリュー釘（第３止着材）
１３　　　　スクリュー釘（第２止着材）
１６　　　　根太材
２０　　　　構造用ビス（第１止着材）
【図１】
2004044302.tif 000003
【図２】
2004044302.tif 000004
【図３】
2004044302.tif 000005